【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
電子メールを受信する電子機器であって、
受信した電子メールを表示出力する出力手段と、
前記出力手段により表示出力された電子メールの表示出力状態を検出する検出手段と、
前記検出手段が検出した表示出力状態に基づいて、前記表示出力された電子メールのユーザへの提供度を判別する判別手段と、
前記判別手段が判別した提供度に基づき、前記電子メールを、ユーザの認知度に応じて分類して識別表示出力する識別表示手段と、
を備えることを特徴とする電子機器。
【請求項２】
前記検出手段は、前記電子メールの本文が表示出力されている表示時間を計時し、
前記判別手段は、前記検出手段が計時した表示時間に基づいて、ユーザへの提供度を判別する、
ことを特徴とする請求項１に記載の電子機器。
【請求項３】
前記検出手段は、前記出力手段が表示出力した前記電子メールについて、表示出力された情報量を検出し、
前記判別手段は、前記検出手段が検出した情報量に基づいて、ユーザへの提供度を判別する、
ことを特徴とする請求項１または２に記載の電子機器。
【請求項４】
前記検出手段が検出する情報量と、所定の表示時間とを対応づけて記憶する記憶手段をさらに備え、
前記判別手段は、
前記検出手段が検出した情報量に対応した表示時間を示す情報を前記記憶手段から取得し、
該取得した情報が示す表示時間と、前記検出手段が計時した表示時間とに基づいて、ユーザへの提供度を判別する、
ことを特徴とする請求項３に記載の電子機器。
【請求項５】
前記検出手段は、前記出力手段が表示出力する前記電子メールについて、該電子メール全体の情報量を検出し、
前記判別手段は、前記検出手段が検出した、前記電子メールについての出力情報量と全体情報量とに基づいて、ユーザへの提供度を判別する、
ことを特徴とする請求項３または４に記載の電子機器。
【請求項６】
前記検出手段は、前記出力手段が表示出力した前記電子メールに基づく他の情報の出力有無を該電子メールの表示出力状態として検出する、
ことを特徴とする請求項１乃至５のいずれか１項に記載の電子機器。
【請求項７】
コンピュータに、
受信した電子メールの出力状態を検出する機能と、
検出した出力状態に基づいて、前記出力した電子メールのユーザへの提供度を判別する機能と、
判別された提供度に基づいて、各電子メールの内容についてのユーザの認知度が識別可能となるよう受信した電子メールを分類して識別表示する機能と、
を実現させることを特徴とするプログラム。
【手続補正２】
【補正対象書類名】明細書
【補正対象項目名】０００８
【補正方法】変更
【補正の内容】
【０００８】
上記目的を達成するため、本発明の第１の観点にかかる電子機器は、
電子メールを受信する電子機器であって、
受信した電子メールを表示出力する出力手段と、
前記出力手段により表示出力された電子メールの表示出力状態を検出する検出手段と、
前記検出手段が検出した表示出力状態に基づいて、前記表示出力された電子メールのユーザへの提供度を判別する判別手段と、
前記判別手段が判別した提供度に基づき、前記電子メールを、ユーザの認知度に応じて分類して識別表示出力する識別表示手段と、
を備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記電子機器において、
前記検出手段は、前記電子メールの本文が表示出力されている表示時間を計時することが望ましく、
前記判別手段は、前記検出手段が計時した表示時間に基づいて、ユーザへの提供度を判別することが望ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
上記電子機器において、
前記検出手段は、前記出力手段が表示出力した前記電子メールについて、表示出力された情報量を検出することが望ましく、
前記判別手段は、前記検出手段が検出した情報量に基づいて、ユーザへの提供度を判別することが望ましい。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
上記電子機器は、
前記検出手段が検出する情報量と、所定の表示時間とを対応づけて記憶する記憶手段をさらに備えていることが望ましく、この場合、
前記判別手段は、
前記検出手段が検出した情報量に対応した表示時間を示す情報を前記記憶手段から取得し、
該取得した情報が示す表示時間と、前記検出手段が計時した表示時間とに基づいて、ユーザへの提供度を判別することが望ましい。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
上記電子機器において、
前記検出手段は、前記出力手段が表示出力する前記電子メールについて、該電子メール全体の情報量を検出することが望ましく、この場合、
前記判別手段は、前記検出手段が検出した、前記電子メールについての出力情報量と全体情報量とに基づいて、ユーザへの提供度を判別することが望ましい。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上記電子機器において、
前記検出手段は、前記出力手段が表示出力した前記電子メールに基づく他の情報の出力有無を該電子メールの表示出力状態として検出してもよい。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
上記目的を達成するため、本発明の第２の観点にかかるプログラムは、
コンピュータに、
受信した電子メールの出力状態を検出する機能と、
検出した出力状態に基づいて、前記出力した電子メールのユーザへの提供度を判別する機能と、
判別された提供度に基づいて、各電子メールの内容についてのユーザの認知度が識別可能となるよう受信した電子メールを分類して識別表示する機能と、
を実現させることを特徴とする。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
本発明によれば、電子機器で受信した電子メールを出力した際の出力状態（例えば、表示時間、全文情報量、ユーザが認知可能に出力された情報量や、当該情報に基づいた他の情報の出力（例えば、電子メールの返信や転送など））に基づいて、当該電子メールの内容がどの程度ユーザに提供されたかを示す提供度を求め、求めた提供度に応じたユーザの認知度（例えば、半読、完読、熟読、など）で受信メールを分類する。このとき、各認知度をユーザが識別できるよう分類表示することなどにより、ユーザはどの受信メールをどの程度認知しているかを容易に認識することができる。これにより、例えば、受信メールの全文を読むことができなかった場合などに、あとで読み直すべき受信メールがいずれであるかを容易に認識することができ、重要な情報を認知し損なうなどの不都合を防止することができる。